(57)【要約】  少なくとも１つの鍵を保持するための、カスタマイズ可能なキーホルダであって；前記キーホルダは、前記少なくとも１つの鍵を間に収納する、２つの別個の外側の被覆プレートを備え；１つまたは複数の取り外し可能なロッキングピンが、ロッキング機構を利用して、前記外側の被覆プレート間に前記少なくとも１つの鍵を固定し；前記キーホルダは、キーホルダを個人化するように適合された１つまたは２つの交換可能な被覆プレートカバーをさらに含み；前記交換可能な被覆プレートカバーの少なくとも１つが、アクセサリ要素用の収納スペースを提供するカスタマイズ可能なキーホルダ。【選択図】図１
2015504494.tif 000002
【特許請求の範囲】
【請求項１】
少なくとも１つの鍵を保持するための、カスタマイズ可能なキーホルダであって；前記キーホルダは、前記少なくとも１つの鍵を間に収納する、２つの別個の外側の被覆プレートを備え；１つまたは複数の取り外し可能なロッキングピンが、ロッキング機構を利用して、前記外側の被覆プレート間に前記少なくとも１つの鍵を固定し；前記キーホルダは、前記キーホルダを個人化するように適合された１つまたは２つの交換可能な被覆プレートカバーをさらに含み；前記交換可能な被覆プレートカバーの少なくとも１つが、アクセサリ要素用の収納スペースを提供するカスタマイズ可能なキーホルダ。
【請求項２】
前記交換可能な被覆プレートカバーは、一般に細長いシェルを備える、請求項１に記載のキーホルダ。
【請求項３】
前記シェルは、その下側が開いている、請求項１または２に記載のキーホルダ。
【請求項４】
前記交換可能な被覆プレートカバーは、一般に弓状切断面の、一般に細長い本体として形成され、使用するために前記被覆プレートに取り付けられたときに、利用者の手の中で快適に合うように、前記交換可能な被覆プレートカバーの外側の両端部が丸みをつけられる、請求項１〜３のうちいずれか一項に記載のキーホルダ。
【請求項５】
前記収納スペースは電子デバイスを収容する、請求項１〜４のうちいずれか一項に記載のキーホルダ。
【請求項６】
前記収納スペースは、鏡、ＬＥＤトーチ、警報送信機、またはＵＳＢデバイスのうち任意の１つを収容する、請求項１〜４のうちいずれか一項に記載のキーホルダ。
【請求項７】
前記交換可能な被覆プレートカバーの前記少なくとも１つは、前記キーホルダの前記被覆プレートの１つから取り除かれたときに、収納された品目を保持するための閉じるものを下側に具備する、請求項１〜６のうちいずれか一項に記載のキーホルダ。
【請求項８】
前記２つの別個の外側の被覆プレートは、基部被覆プレートおよび対向する保持部材被覆プレートを備え；前記基部被覆プレートおよび前記保持部材被覆プレートは、使用するために組み立てられたとき、前記ロッキングピンにより相互接続され；各前記ロッキングピンは第１のロックされた位置および第２のロック解除された位置の間で動作可能であり；前記少なくとも１つの鍵は、前記ロッキングピンのシャフト部分に通される、請求項１〜７のうちいずれか一項に記載のキーホルダ。
【請求項９】
前記ピンは、分解ツールを必要とせずに前記外側の被覆プレートから取り外し可能である、請求項８に記載のキーホルダ。
【請求項１０】
前記交換可能な被覆プレートカバーの外面が、しるしおよびラベル付けを提供する、請求項１〜９のうちいずれか一項に記載のキーホルダ。
【請求項１１】
前記交換可能な被覆プレートカバーの前記少なくとも１つの外面が、スリップオン式のカバー、接着フィルム、またはステッカのうち任意の１つを備えるカバー要素を含む、請求項１〜９のうちいずれか一項に記載のキーホルダ。
【請求項１２】
前記交換可能な被覆プレートカバーの前記少なくとも１つは、ある範囲の色、材料、仕上げ、および質感で提供される、請求項１〜１１のうちいずれか一項に記載のキーホルダ。
【請求項１３】
鍵に類似するサイズの小型アクセサリツールが、前記ロッキングピンに通され、前記外側の被覆プレート間に保持されてもよい、請求項１〜１２のうちいずれか一項に記載のキーホルダ。
【請求項１４】
オンボード計算を行うためのマイクロプロセッサベースのデバイスをさらに含み、それにより、機能を追加する、請求項１〜１３のうちいずれか一項に記載のキーホルダ。
【請求項１５】
キーホルダをカスタマイズする方法であって；前記キーホルダは、少なくとも１つの鍵を間に保持するための、１対の別個の外側の被覆プレートを備え；前記方法は：
ａ．少なくとも１つの交換可能な外側の被覆プレートカバーを提供するステップ、
ｂ．前記少なくとも１つの交換可能な外側の被覆プレートカバーを、アクセサリ要素を収納するように適合されたシェルとして成形するステップ
を備える方法。
【請求項１６】
前記少なくとも１つの交換可能な外側の被覆プレートカバーは、しるしを彫ることができる、請求項１５に記載の方法。
【請求項１７】
前記方法は、前記１対の外側の被覆プレートの少なくとも１つを、前記交換可能な外側の被覆プレートカバーを取り付けるように構成された基礎となるプラットフォームとして提供するステップをさらに含み；前記交換可能な外側の被覆プレートカバーは、複数の交換可能な被覆プレートカバーから選択される、請求項１５または１６に記載の方法。
【請求項１８】
前記１対の別個の外側の被覆プレートは、使用中に、ロッキングピンにより相互接続される、請求項１５〜１７のうちいずれか一項に記載の方法。
【請求項１９】
前記交換可能な外側の被覆プレートカバーは、前記カバーの内面、および前記キーホルダの前記１対の別個の外側の被覆プレートの１つとの間に収納スペースまたは収容スペースを形成する、請求項１５〜１８のうちいずれか一項に記載の方法。
【請求項２０】
少なくとも１つの鍵を保持するためのキーホルダであって；複数の交換可能なカバーのうち選択された１つを前記キーホルダの構造要素に取り付けることにより形成された少なくとも１つのアクセサリ区画を含むキーホルダ。
【請求項２１】
前記キーホルダは２つの前記アクセサリ区画を含み；選択された前記交換可能なカバーにより形成された前記アクセサリ区画の各々が、前記キーホルダの対向する構造要素に取り付けられる、請求項２０に記載のキーホルダ。
【請求項２２】
前記交換可能なカバーは、下側が開いた、一般に細長いシェルを備え；前記シェルは、一般に弓状切断面から成り、弓状切断面の外側の両端部が丸くなっている、請求項２０または２１に記載のキーホルダ。
【請求項２３】
前記交換可能なカバーは、前記カバーが前記キーホルダの前記構造要素から取り除かれたときに、収納された品目を保持するための閉じるものを下側に具備する、一般に細長いシェルを備える、請求項２０または２１に記載のキーホルダ。
【請求項２４】
前記少なくとも１つの鍵は前記構造要素間に保持され；前記構造要素は、基部被覆プレートおよび対向する保持部材被覆プレートを備え；前記基部被覆プレートおよび前記保持部材被覆プレートは、使用するために組み立てられたとき、ロッキングピンにより相互接続され；各前記ロッキングピンは第１のロックされた位置および第２のロック解除された位置の間で動作可能であり；前記少なくとも１つの鍵は、前記ロッキングピンのシャフト部分に通される、請求項２０〜２２のうちいずれか一項に記載のキーホルダ。
【請求項２５】
前記基部被覆プレートは、実質的に平坦な細長いプレートを備え；前記基部被覆プレートは、前記基部被覆プレートの対向する両端部の近傍に開口を具備し；それぞれの前記ロッキングピンは、前記キーホルダが使用するために組み立てられたとき、前記開口を通過する、請求項２４に記載のキーホルダ。
【請求項２６】
前記保持部材被覆プレートは、実質的に平坦な細長いプレートを備え；前記保持部材被覆プレートは、前記保持部材被覆プレートの対向する両端部の近傍に、対応する開口を具備し；前記対応する開口は、前記基部被覆プレート内の前記開口と整列し；それぞれの前記ロッキングピンは、前記キーホルダが使用するために組み立てられたとき、前記開口を通過する、請求項２４または２５に記載のキーホルダ。
【請求項２７】
前記保持部材被覆プレート内の前記開口の各々が、係合要素を含み；前記係合要素は、前記キーホルダが使用するために組み立てられたとき、前記ロッキングピンの相補的係合要素と係合する、請求項２６に記載のキーホルダ。
【請求項２８】
ヘッド部分から遠位にある各前記ロッキングピンのシャフト部分の端部が、前記相補的係合要素を具備する、請求項２７に記載のキーホルダ。
【請求項２９】
前記ヘッド部分は、前記シャフト部分より大きな直径を有し；前記ヘッド部分は把持要素を具備し；前記把持要素は、前記ヘッド部分に対して外側に突き出る位置、および前記把持要素が前記基部被覆プレートの反対方向にある、引っ込んだ位置との間で動作可能である、請求項２８に記載のキーホルダ。
【請求項３０】
前記基部被覆プレートおよび前記保持する被覆プレートの間に配置されたばね手段が、前記ロッキングピンの前記シャフト部分に保持された前記少なくとも１つの鍵の自由な動きを制限し；前記ばね手段は、前記鍵を、前記鍵が被覆された位置に保持する、請求項２４〜２９のうちいずれか一項に記載のキーホルダ。
【請求項３１】
前記保持部材被覆プレートの取り外し可能なアクセサリカバー側が、前記保持部材被覆プレートの対向する縁に沿って保持構造を具備し；前記保持構造は、取り付けるために、前記取り外し可能なアクセサリカバーの相補的係合構造を受け入れる、請求項２４〜３０のうちいずれか一項に記載のキーホルダ。
【請求項３２】
前記交換可能なカバーは、前記交換可能なカバーにより提供されるスペースから成る容積の範囲内で、収納私物品または機能デバイス用の収納スペースを提供する、請求項２０〜３１のうちいずれか一項に記載のキーホルダ。
【請求項３３】
前記交換可能なカバーおよび前記基部被覆プレートの外面が、しるしおよびラベル付けを提供する、請求項２４〜３２のうちいずれか一項に記載のキーホルダ。
【請求項３４】
前記取り外し可能なアクセサリカバーおよび前記基部被覆プレートは、ある範囲の会社のしるしを具備する、請求項２４〜３２のうちいずれか一項に記載のキーホルダ。
【請求項３５】
前記交換可能なカバーおよび前記基部被覆プレートは、ある範囲の色、材料、仕上げ、および質感で提供される、請求項２４〜３４のうちいずれか一項に記載のキーホルダ。
【請求項３６】
前記ロッキングピンは、所望の鍵収納容量に適合するある範囲の長さで提供される、請求項２４〜３５のうちいずれか一項に記載のキーホルダ。
【請求項３７】
ワッシャまたはディスクが、前記被覆プレート間で、前記ロッキングピン上に保持され；前記ディスクまたはワッシャは鍵と置換可能である、請求項２４〜３６のうちいずれか一項に記載のキーホルダ。
【請求項３８】
鍵に類似するサイズの小型アクセサリツールが、前記ロッキングピンに通され、前記被覆プレート間に保持されてもよい、請求項２４〜３７のうちいずれか一項に記載のキーホルダ。
【請求項３９】
キーホルダをカスタマイズする方法であって；
（ａ）しるしを彫ることができる少なくとも１つの表面を提供するステップ、
（ｂ）交換可能なカバーを取り付けるように構成された少なくとも１つの構造要素を提供するステップ
を含む方法。
【請求項４０】
前記交換可能なカバーは、複数の選択可能なカバーを含み；各前記カバーは、前記カバーの内面、および前記キーホルダの被覆プレートとの間に収納スペースを形成する、請求項３９に記載の方法。
【請求項４１】
少なくとも１つの鍵をキーホルダに保持する方法であって；
（ｇ）前記キーホルダの少なくとも１つのロッキングピンの把持要素を動作させて、前記キーホルダの保持部材被覆プレート内の開口から前記ロッキングピンをはずすステップ、
（ｈ）前記ロッキングピンを前記保持部材被覆プレートから引き出すステップ、
（ｉ）前記キーホルダの基部プレートを振り動かす、または屈曲させて、前記保持部材被覆プレートと整列していない状態にするステップ、
（ｊ）前記ロッキングピンのシャフト部分を、前記少なくとも１つの鍵の開口に通すステップ、
（ｋ）前記基部被覆プレートを前記保持部材プレートと再度整列させるステップ、
（ｌ）前記ロッキングピンを前記保持部材被覆プレート内の前記開口と再度係合させるステップ
を含む方法。
【請求項４２】
電子技術およびマイクロチップ技術が、被覆プレートカバー内部に収納される、請求項２０〜３８のうちいずれか一項に記載のキーホルダ。
【請求項４３】
被覆プレートが、保持する被覆プレートが外側に屈曲することができるようになり、したがって、収納された鍵にアクセスすることができるように、ロッキングピンを通過させるための、スロットをつけられた穴を組み入れる曲げやすい材料から成ることができる、請求項２０〜３８のうちいずれか一項に記載のキーホルダ。
【発明の詳細な説明】
【技術分野】
【０００１】
本発明は、個人用の便利なデバイスに関し、より詳細には鍵および小型私物品の管理システムに関する。
【背景技術】
【０００２】
おそらく、錠および鍵が発明されたときから、キーリングを使用することが、複数の個別鍵を収納し、固定する、標準的で最も一般に認められている方法であった。
【０００３】
何らかの形の格納被覆により、単純なキーリングにより提供された、不格好でポケットを傷める鍵のアレイを管理する、代わりの方法が公知である。鍵を被覆する構成の一例が、たとえば、初期の特許である、Ｄｏｄｓｏｎによる米国特許第１，７９３，５９４号明細書で開示された。Ｄｏｄｓｏｎの構成および他の取組みの少なくとも１つの欠点が、鍵をキーホルダに取り付け、キーホルダから取り外す、扱いにくい手段である。たとえば、鍵がまだキーリングに取り付けられており、拘束する、曲げやすいポーチの中に引き入れられる構成でこのようなことが当てはまる。
【０００４】
公知のキーホルダの他の欠点が、キーホルダが１つまたは複数の鍵を保持することだけに限定されることであり、その結果、典型的には、小型私物品が、利用者のポケットの中に拘束されないままでいることである。
【先行技術文献】
【特許文献】
【０００５】
【特許文献１】米国特許第１，７９３，５９４号明細書
【発明の概要】
【発明が解決しようとする課題】
【０００６】
上記の欠点のいくつかに対処する、またこれらの欠点を少なくとも改善することが本発明の目的である。
【課題を解決するための手段】
【０００７】
（注）
用語「備える（ｃｏｍｐｒｉｓｉｎｇ）」（およびその文法的変形）は、本明細書では、「有する（ｈａｖｉｎｇ）」または「含む（ｉｎｃｌｕｄｉｎｇ）」という包括的な意味で使用され、「だけから成る（ｃｏｎｓｉｓｔｉｎｇ  ｏｎｌｙ  ｏｆ）」という排他的な意味で使用されない。
【０００８】
背景技術における従来技術の上記の説明は、そこで説明された任意の情報が、引用可能な従来技術、または任意の国の当業者の共通の、一般的知識の一部であることを認めるものではない。
【０００９】
（本発明の要約）
本発明の好ましい一形態によるキーホルダが、収納される鍵を間で被覆する１つまたは２つの外側の被覆プレート、好ましくは収納される鍵を固定するターンロッキング機構を利用する１つまたは複数の取り外し可能な固定ピンまたはボルト、さらに好ましくは、固定されていない鍵に対して抵抗を与える１つまたは複数の小型ばね、および個人化、マーケティング、商標、鍵セットラベル付けなどのための１つまたは２つの取り外し可能な被覆カバーから成る。
【００１０】
一形態では、プラスチック、金属、またはアルミニウムから構築されてもよい被覆プレートの少なくとも１つが、押出形態を組み入れ、各端部に位置する１つまたは複数の穴を有し、これらの穴のうち最小でも一方の端部の少なくとも１つの穴が１つまたは２つの取り外し可能なターン・ロッキング・ピンまたはボルトと一体化および固定することができるようになる特殊な形態を有してもよい。このプレートは、平坦な押出セクションであってもよく、１つまたは複数の鍵を、鍵の最も効率的形態で収納するためのプラットフォームを提供しながら、同じく、取り外し可能なアクセサリカバーおよび／またはアクセサリアタッチメントを取り付けるための基礎となるプラットフォームを提供してもよい。
【００１１】
好ましい一形態では、プラスチック、金属、またはアルミニウムから構築された取り外し可能なアクセサリカバーは、携帯電話カバーに類似するアクセサリカバーの設計として、目に見える外側の面に、利用者の個人化、マーケティング、商標などのための好機を提供する。これらの取り外し可能なアクセサリカバーはまた、１つまたは複数の機能デバイスまたは品目をカバー内部に収容する潜在能力を提供し、例が：鏡、ＬＥＤトーチ、警報送信機、ＵＳＢデバイス、格納式首紐などを含むことができるが、これらに限定されない。
【００１２】
それ自体取り外し可能なアクセサリカバーとすることができる、プラスチック、金属、またはアルミニウムから構築されたその他の被覆プレートは、各端部に配置された１つまたは複数の穴を組み入れ、これらの穴のうち、最小でも一方の端部の少なくとも１つの穴が、ターン・ロッキング・ピンまたはボルトが通過できるようになる直径を有する。この被覆プレートはまた、目に見える外側の面に、利用者の個人化、マーケティング、商標、鍵セットラベル付けなどをそれ自体組み入れるための好機を有する。
【００１３】
好ましい一形態では、プラスチック、金属、またはアルミニウムから構築された取り外し可能な固定ピンまたはボルトが、ターンロッキング機構を利用し、取り外し可能な固定ピンまたはボルトがキー（複数）の先端で穴を通過することができるようになる直径を有し、取り外し可能な固定ピンまたはボルトが少なくとも１つの被覆プレートと共に正常な位置の中にロックすることが可能になる形態を組み入れる。取り外し可能な固定ピンまたはボルトはまた、使用中ではないときに、平坦な位置の中に折りたたむことができるリフト・アップターン・アシスト・ハンドルを組み入れてもよい。
【００１４】
好ましい一形態では、ばねは、丸いコイル状の圧縮ばねまたは平坦な、折り目のついた圧縮ばねプレートであってもよく、回すことができるロッキングピンまたはボルトが通過できるようになる直径を含んでもよく、密に整列した鍵の面に対する抵抗だけでなく、被覆プレートまたは取り外し可能な固定ピンもしくはボルトのヘッドの面に対する抵抗も提供してもよい。
【００１５】
一形態では、プラスチック、金属、またはアルミニウムから構築されてもよい取り外し可能アクセサリカバーは、取り外し可能なロッキングピン（複数）またはボルト（複数）を主押出被覆プレートと一体化することに関連する形態を隠すことができる。これらのカバーは、具体的には、目に見える外側の面（複数）に、利用者の個人化、マーケティング、商標、鍵セットラベル付けなどのための前例のない好機および製品表面エリアを提供する。
【００１６】
したがって、本発明の第１の広い形態では、少なくとも１つの鍵を保持するためのキーホルダであって；複数の交換可能なカバーのうち選択された１つを前記キーホルダの構造要素に取り付けることにより形成された少なくとも１つのアクセサリ区画を含むキーホルダが提供される。
【００１７】
好ましくは、前記キーホルダは２つの前記アクセサリ区画を含み；選択された前記交換可能なカバーにより形成された前記アクセサリ区画の各々が、前記キーホルダの対向する構造要素に取り付けられる。
【００１８】
好ましくは、前記交換可能なカバーは、下側が開いた、一般に細長いシェルを備え；前記シェルは、一般に弓状切断面を有し、弓状切断面の外側の両端部が丸くなっている。
【００１９】
好ましくは、前記交換可能なカバーは、前記カバーが前記キーホルダの前記構造要素から取り除かれたときに、収納された品目を保持するための閉じるものを下側に具備する、一般に細長いシェルを備える。
【００２０】
好ましくは、前記少なくとも１つの鍵は前記構造要素間に保持され；前記構造要素は、基部被覆プレートおよび対向する保持部材被覆プレートを備え；前記基部被覆プレートおよび前記保持部材被覆プレートは、使用するために組み立てられたとき、ロッキングピンにより相互接続され；各前記ロッキングピンは第１のロックされた位置および第２のロック解除された位置の間で動作可能であり；前記少なくとも１つの鍵は、前記ロッキングピンのシャフト部分に通される。
【００２１】
好ましくは、前記基部被覆プレートは、実質的に平坦な細長いプレートを備え；前記基部被覆プレートは、前記基部被覆プレートの対向する両端部の近傍に開口を具備し；それぞれの前記ロッキングピンは、前記キーホルダが使用するために組み立てられたとき、前記開口を通過する。
【００２２】
好ましくは、前記保持部材被覆プレートは、実質的に平坦な細長いプレートを備え；前記保持部材被覆プレートは、前記保持部材被覆プレートの対向する両端部の近傍に、対応する開口を具備し；前記対応する開口は、前記基部被覆プレート内の前記開口と整列し；それぞれの前記ロッキングピンは、前記キーホルダが使用するために組み立てられたとき、前記開口を通過する。
【００２３】
好ましくは、前記保持部材被覆プレート内の前記開口の各々が、係合要素を含み；前記係合要素は、前記キーホルダが使用するために組み立てられたとき、前記ロッキングピンの相補的係合要素と係合する。
【００２４】
好ましくは、ヘッド部分から遠位にある各前記ロッキングピンのシャフト部分の端部が、前記相補的係合要素を具備する。
【００２５】
好ましくは、前記ヘッド部分は、前記シャフト部分より大きな直径を有し；前記ヘッド部分は把持要素を具備し；前記把持要素は、前記ヘッド部分に対して外側に突き出る位置、および前記把持要素が前記基部被覆プレートの反対方向にある、引っ込んだ位置との間で動作可能である。
【００２６】
好ましくは、前記基部被覆プレートおよび前記保持する被覆プレートの間に配置されたばね手段が、前記ロッキングピンの前記シャフト部分に保持された前記少なくとも１つの鍵の自由な動きを制限し；前記ばね手段は、前記鍵を、前記鍵が被覆された位置に保持する。
【００２７】
好ましくは、前記保持部材被覆プレートの取り外し可能なアクセサリカバー側が、前記保持部材被覆プレートの対向する縁に沿って保持構造を具備し；前記保持構造は、取り付けるために、前記取り外し可能なアクセサリカバーの相補的係合構造を受け入れる。
【００２８】
好ましくは、前記交換可能なカバーは、前記交換可能なカバーにより提供されるスペースから成る容積の範囲内で、収納私物品または機能デバイス用の収納スペースを提供する。
【００２９】
好ましくは、前記交換可能なカバーおよび前記基部被覆プレートの外面が、しるしおよびラベル付けを提供する。
【００３０】
好ましくは、前記取り外し可能なアクセサリカバーおよび前記基部被覆プレートは、ある範囲の会社のしるしを具備する。
【００３１】
好ましくは、前記交換可能なカバーおよび前記基部被覆プレートは、ある範囲の色、材料、仕上げ、および質感で提供される。
【００３２】
好ましくは、前記ロッキングピンは、所望の鍵収納容量に適合するある範囲の長さで提供される。
【００３３】
好ましくは、ワッシャまたはディスクが、前記被覆プレート間で、前記ロッキングピン上に保持され；前記ディスクまたはワッシャは鍵と置換可能である。
【００３４】
好ましくは、鍵に類似するサイズの小型アクセサリツールが、前記ロッキングピンに通され、前記被覆プレート間に保持されてもよい。
【００３５】
本発明の他の広い形態では、キーホルダをカスタマイズする方法であって；
（ａ）しるしを彫ることができる少なくとも１つの表面を提供するステップ、
（ｂ）交換可能なカバーを取り付けるように構成された少なくとも１つの構造要素を提供するステップ
を含む方法が提供される。
【００３６】
好ましくは、前記交換可能なカバーは、複数の選択可能なカバーを含み；各前記カバーは、前記カバーの内面、および前記キーホルダの被覆プレートとの間に収納スペースを形成する。
【００３７】
本発明の他の広い形態では、キーホルダ内に少なくとも１つの鍵を保持する方法であって；
（ａ）前記キーホルダの少なくとも１つのロッキングピンの把持要素を動作させて、前記キーホルダの保持部材被覆プレート内の開口から前記ロッキングピンをはずすステップ、
（ｂ）前記ロッキングピンを前記保持部材被覆プレートから引き出すステップ、
（ｃ）前記キーホルダの基部プレートを振り動かす、または屈曲させて、前記保持部材被覆プレートと整列していない状態にするステップ、
（ｄ）前記ロッキングピンのシャフト部分を、前記少なくとも１つの鍵の開口に通すステップ、
（ｅ）前記基部被覆プレートを前記保持部材プレートと再度整列させるステップ、
（ｆ）前記ロッキングピンを前記保持部材被覆プレート内の前記開口と再度係合させるステップ
を含む方法が提供される。
【００３８】
したがって、本発明の他の広い形態では、少なくとも１つの鍵を保持するための、カスタマイズ可能なキーホルダであって；前記キーホルダは、前記少なくとも１つの鍵を間に収納する、２つの別個の外側の被覆プレートを備え；１つまたは複数の取り外し可能なロッキングピンが、ロッキング機構を利用して、前記外側の被覆プレート間に前記少なくとも１つの鍵を固定し；前記キーホルダは、前記キーホルダを個人化するように適合された１つまたは２つの交換可能な被覆プレートカバーをさらに含み；前記交換可能な被覆プレートカバーの少なくとも１つが、アクセサリ要素用の収納スペースを提供するカスタマイズ可能なキーホルダが提供される。
【００３９】
好ましくは、前記交換可能な被覆プレートカバーは、一般に細長いシェルを備える。
【００４０】
好ましくは、前記シェルは、その下側が開いている。
【００４１】
好ましくは、前記交換可能な被覆プレートカバーは、一般に弓状切断面の、一般に細長い本体として形成され、使用するために前記被覆プレートに取り付けられたときに、利用者の手の中で快適に合うように、前記交換可能な被覆プレートカバーの外側の両端部が丸みをつけられる。
【００４２】
好ましくは、前記収納スペースは、電子デバイスを収容する。
【００４３】
好ましくは、前記収納スペースは、鏡、ＬＥＤトーチ、警報送信機、またはＵＳＢデバイスのうち任意の１つを収容する。
【００４４】
好ましくは、前記交換可能な被覆プレートカバーの前記少なくとも１つは、前記キーホルダの前記被覆プレートの１つから取り除かれたときに、収納された品目を保持するための閉じるものを下側に提供される。
【００４５】
好ましくは、前記２つの別個の外側の被覆プレートは、基部被覆プレートおよび対向する保持部材被覆プレートを備え；前記基部被覆プレートおよび前記保持部材被覆プレートは、使用するために組み立てられたとき、前記ロッキングピンにより相互接続され；各前記ロッキングピンは第１のロックされた位置および第２のロック解除された位置の間で動作可能であり；前記少なくとも１つの鍵は、前記ロッキングピンのシャフト部分に通される。
【００４６】
好ましくは、前記ピンは、分解ツールを必要とせずに前記外側の被覆プレートから取り外し可能である。
【００４７】
好ましくは、前記交換可能な被覆プレートカバーの外面が、しるしおよびラベル付けを提供する。
【００４８】
好ましくは、前記交換可能な被覆プレートカバーの前記少なくとも１つの外面が、スリップオン式のカバー、接着フィルム、またはステッカのうち任意の１つを備えるカバー要素を含む。
【００４９】
好ましくは、前記交換可能な被覆プレートカバーの前記少なくとも１つは、ある範囲の色、材料、仕上げ、および質感で提供される。
【００５０】
好ましくは、鍵に類似するサイズの小型アクセサリツールが、前記ロッキングピンに通され、前記外側の被覆プレート間に保持されてもよい。
【００５１】
本発明のなおさらに広い形態では、キーホルダをカスタマイズする方法であって；前記キーホルダは、少なくとも１つの鍵を間に保持するための、１対の別個の外側の被覆プレートを備え；前記方法は：
少なくとも１つの交換可能な外側の被覆プレートカバーを提供するステップ、
前記少なくとも１つの交換可能な外側の被覆プレートカバーを、アクセサリ要素を収納するように適合されたシェルとして成形するステップ
を備える方法が提供される。
【００５２】
好ましくは、前記少なくとも１つの交換可能な外側の被覆プレートカバーは、しるしを彫ることができる。
【００５３】
好ましくは、前記方法は、前記１対の外側の被覆プレートの少なくとも１つを、前記交換可能な外側の被覆プレートカバーを取り付けるように構成された基礎となるプラットフォームとして提供するステップをさらに含み；前記交換可能な外側の被覆プレートカバーは、複数の交換可能な被覆プレートカバーから選択される。
【００５４】
好ましくは、前記１対の別個の外側の被覆プレートは、使用中に、ロッキングピンにより相互接続される。
【００５５】
好ましくは、前記交換可能な外側の被覆プレートカバーは、前記カバーの内面、および前記キーホルダの前記１対の別個の外側の被覆プレートの１つとの間に収納スペースまたは収容スペースを形成する。
【００５６】
次に、本発明の実施形態について、添付図面を参照して説明する。
【図面の簡単な説明】
【００５７】
【図１】本発明による、組み立てられた改良型キーホルダの好ましい一実施形態の側面図である。
【図２】図１のキーホルダの下側の図である。
【図３】図１および図２のキーホルダの、保持する被覆プレートの第１の側面の図である。
【図４】図３の、保持する被覆プレートの第２の側面の図である。
【図４Ａ】図３および図４の、保持する被覆プレートの切断された端面図である。
【図５】図１の、組み立てられたキーホルダの部分的に切断された端面図である。
【図６】使用中のキーホルダの側面図である。
【図７】使用中のキーホルダの下側の図である。
【図８】本発明の他の好ましい一実施形態の側面図である。
【図９】被覆プレートカバー内部に電子技術およびマイクロチップ技術を組み入れた、他の好ましい一実施形態の側面図である。
【発明を実施するための形態】
【００５８】
本発明の好ましい一形態のキーホルダが、部分的に覆い隠すケーシングで、少なくとも１つの鍵を保持することができるようにする。このケーシングは、使用するために任意の鍵に容易にアクセスすることができるように、ならびに鍵をホルダに追加する、および鍵をホルダから取り除くように構成される。好ましくは、このケーシングはまた、手の中に容易に収まる形状を有し、少なくとも、一般に細長い本体の外側の両端部に丸い縁を有し、鋭利な突出部を含まない。
【００５９】
さらに、キーホルダは、たとえば会社のロゴおよび広告などの、彫られたまたは追加されたしるしを表示するのに適した表面を含んでもよい。さらに、キー・ホルダ・ケーシングの構造は、小型品目を保持するための、少なくとも１つの小さなアクセサリ区画を提供するようなものであってもよい。これらの小型品目は、たとえば、化粧品、ポケットナイフ、鏡、トーチ、警報送信機、ＭＰ３プレーヤ、ライタ、またはＵＳＢメモリスティックを含むことができる。
【００６０】
本発明の好ましい一形態のキーホルダのアクセサリ区画が、キーホルダの主要な構造要素に取り付けられる、交換可能なカバーを追加することにより形成される。カバーは、収納スペースを提供するたけでなく、簡素な設計によりキーホルダの審美的魅力を増すように成形される。
【００６１】
交換可能なカバーが、ある範囲の色およびスタイルで提供されてもよく、しるしを、たとえば上述のようなロゴおよび広告、または個人化された情報を載せてもよい。彫られた、または追加されたしるし、および本発明の好ましい形態のキーホルダの交換可能なカバーは、キーホルダのカスタマイゼーションおよび個人化を提供する。
【００６２】
（好ましい実施形態）
図１を参照すると、本発明の好ましい一実施形態によるキーホルダ（１０）が、２つの主要な構造要素；基部被覆プレート（１２）および対向する保持部材被覆プレート（１４）を備える。交換可能なアクセサリ区画カバー（１５）が、少なくとも保持部材被覆プレート（１４）に解放可能に取り付けられる。基部被覆プレート（１２）および保持部材被覆プレート（１４）は、好ましい構成で使用するために組み立てられたときに、２つのロッキングピン（１６）および（１８）により相互接続される。これらのピンの長さが、鍵をどの程度収納するのが好ましいかに従って選択されてもよいことが理解されよう。
【００６３】
この実施形態のキーホルダは、鍵の厚さに類似する厚さの、かつ基部被覆プレートおよび保持部材被覆プレートの間のスペースを満たすだけの十分な数の、いくつかのディスクまたはワッシャを具備してもよい。必要に応じて、これらのディスクを鍵と置換することができる。
【００６４】
基部被覆プレート（１２）は、好ましくは、基部被覆プレート（１２）の対向する両端部の近傍に開口（２０）および（２２）を具備する実質的に平坦な、押し出された細長いプレートを備える。ロッキングピン（１６）および（１８）は、キーホルダ（１０）が、使用するために組み立てられたときに、これらの開口を通過してもよい。ロッキングピン（１６）および（１８）の各々が、（図１および図２に示すような）第１のロックされた位置、および第２のロック解除された位置の間で動作可能であってもよい。
【００６５】
基部被覆プレート（１２）は、図６および図７に示すように、収納された鍵を、使用するための位置に回転させるためにアクセスを容易にすることができる、曲げやすい材料からできていてもよい。この柔軟性を許容するために、開口（２０）および（２２）は、スロットの形をとってもよい。
【００６６】
保持部材被覆プレート（１４）はまた、実質的に平坦な細長いプレートを備えてもよく、基部被覆プレート（１２）のサイズに実質的に類似するサイズを有してもよい。保持部材被覆プレート（１４）はまた、プレートの対向する両端部の近傍に、対応する開口（２４）および（２６）を具備してもよい。これらの開口は、キーホルダ（１０）が、使用するために組み立てられたときに、基部被覆プレート（１２）内の開口（２０）および（２２）と整列する。
【００６７】
図３、図４、および図５から理解することができるように、開口（２４）および（２６）は、ロッキングピン（１６、１８）の相補的係合要素（３０）と係合するように適合されたロッキング要素を、好ましくは直径方向に対向する突き出る要素（２８）を含む。
【００６８】
図５を特に参照すると、各ロッキングピン（１６、１８）が、シャフト部分（３６）、およびシャフト部分より大きな直径を有するヘッド部分（３８）を備える。シャフト部分（３６）の直径は、鍵で提供されるこれらの開口の典型的な直径より小さくなるように選ばれ、このことは、鍵が、キーリングに通される、またはたとえばフックにつるされてもよいことを意味する。
【００６９】
ヘッド部分（３８）から遠位にあるシャフト部分（３６）の端部が、上述の相補的係合要素（３０）を具備する。好ましい構成では、ロッキングピンの係合要素（３０）は、環状溝、およびピンの外側の端部との間にスロット（３４）を備える環状溝（３２）を備える。これらの直径方向に対向するスロット（３４）は、突き出る要素（２８）に対応する。
【００７０】
この構成により、スロット（３４）が回転させられ、突き出る要素（２８）と整列するときに、ロッキングピンが開口（２４、２６）の中に挿入されてもよい。次いで、ピンを９０°回すことにより、突き出る要素（２８）が溝（３２）の中に捕獲され、それにより、保持する被覆プレート（１４）にロッキングピンが固定される。
【００７１】
ヘッド部分（３８）は、図５に示すような、ヘッド部分（３８）に対して外側に突き出る位置、および図１および図２に示すような、引っ込んだ位置との間で動作可能な把持要素（４０）を具備する。この引っ込んだ位置では、把持要素（４０）は、基部被覆プレート（１２）の表面の反対側にある。好ましくは、把持要素（４０）は、ヘッド部分に旋回可能に取り付けられ、かつ引っ込んだ位置に向ける付勢手段（図示せず）を具備する、半円形のリングの形をとる。
【００７２】
好ましくは、ホルダ（１０）は、基部被覆プレート（１２）および保持する被覆プレート（１４）の間に配置されたばね手段を具備し、ばね手段は、プレート間に保持された任意の鍵を基部被覆プレート（１２）に対して動かし、鍵が被覆された位置に、鍵を保持するように作用する。好ましくは、図６で最もよく理解することができるように、ばね手段は、軽いコイルの圧縮ばね（１７）の形をとり、圧縮ばね（１７）は、ロッキング・ピン・シャフトの周囲に配置され、鍵（４８）がガラガラ鳴るのを防止するだけでなく、使用する必要がないときに、鍵（４８）が回転してホルダから外に出るのを制限するのに役立つ。好ましくは、ばね（１７）は、ばね（１７）の基部で、保持する被覆プレート（１４）に取り付けられるという点で、留められている。
【００７３】
次に、図４、図４Ａ、および図５を参照すると、保持部材被覆プレート（１４）の第２の側面または対向する側面が、取り外し可能なアクセサリ区画カバー（１５）を取り付けるために、第２の側面の対向する縁に沿って、唇状のスロット（４２）の形をとる係合構造を具備する。
【００７４】
好ましくは、取り外し可能なアクセサリ区画カバー（１５）は、半剛体の材料から成り、下側が開いているシェルを形成し、シェルの下方の対向する縁に沿って、唇状のスロット（４２）の中にクリップで留められても、唇状のスロット（４２）を滑らせてはめてもよい相補的係合構造（４４）を具備する。あるいは、取り外し可能なアクセサリ区画は、物品が係合構造（４２）から解放されたときに、この物品を区画の中に保持するために、シェルの基部にスライド式の閉じるもの（図示せず）を含んでもよい。
【００７５】
好ましくは、取り外し可能なアクセサリ区画カバー（１５）のシェルは、プロファイルが一般に弓状であり、手の中で快適に握ることができるように、外側の両端部が丸まっている。シェルは、取り外し可能なアクセサリカバーの内面、および保持部材被覆プレート（１４）の第２の側面または対向する側面との間に、収納スペースを提供する。
【００７６】
図６に示す、代替の好ましい一実施形態では、基部被覆プレートおよび保持部材被覆プレートは、２つのアクセサリ区画を提供するために、類似のアクセサリカバーを解放可能に保持するように適合された、図５に示すような係合構造を、基部被覆プレートおよび保持部材被覆プレートの、外側を向く表面上に、それぞれ具備する。
【００７７】
典型的には、本発明のキーホルダは、１つまたは複数の初期または既定のアクセサリ区画カバーを具備する。既定のカバーが、しるしを載せても、載せなくてもよい。関与する小売店が、キーホルダのカバー保持要素と互換性のある、ある範囲の任意選択の交換可能なカバーを提供してもよい。
【００７８】
他の好ましい実施形態では、任意選択のカバーが、最初に提供された１つまたは複数の、既定のカバーの上に広げられてもよい、伸縮性を持たせた、曲げやすい覆いの形、たとえば、織物の形をとってもよい。
【００７９】
さらに他の好ましい実施形態では、任意選択のカバーは、使用する前に、はがして用いる保護層により保護された、接着剤付きの表面を具備するポリマーフィルムであってもよい。
【００８０】
上記で指摘したように、ある範囲の異なる色および質感の任意選択のカバーだけでなく、会社のロゴ、広告、または個人化のしるしを載せる任意選択のカバーも提供されてよい。したがって、たとえば、カバーが、人気のあるスポーツチームの色およびロゴで、または人気のある有名人の姿の画像付きで提供されてもよい。
【００８１】
単一区画だけを提供する実施形態では、任意選択の交換可能なカバーに、キーホルダのアクセサリ区画だけでなく、基部被覆プレートの外側を向く側面も提供されてもよい。
【００８２】
本発明のキーホルダ（１０）は、金属材料およびポリマー材料を含む、任意の適切な材料から作られてもよい。
【００８３】
上記の説明は、キーホルダの被覆プレートの間に鍵を保持することに焦点を当てたが、鍵に類似するサイズの他の有用な物品が、キーホルダに好都合に収容されてもよいことが理解されよう。したがって、たとえば、はさみ、爪やすり、ペンナイフの刃、サスペンションフックなどの小型アクセサリツールがロッキングピンに通されてもよい。
【００８４】
他の修正形態および改良形態が以下を含むことができる：
【００８５】
●被覆プレートカバー内部に電子技術およびマイクロチップ技術を収納すること。図９を参照すると、この技術は、ケーブル（６２）を介して、携帯電話（６１）などの外部デバイスを充電するための電源／充電器デバイス（６０）を含むことができる。この技術はまた、携帯電話（６５）との無線通信を維持し、それにより、携帯電話の能力を強化または補完するために、送信機（６４）と通信状態にあるマイクロプロセッサベースのデバイス（６３）を含んでもよい。一例では、スマートホンの機能の少なくとも一部をマイクロプロセッサベースのデバイス（６３）内部に組み入れ、それにより、所与のレベルの能力に対して携帯電話（６５）をより小型にすることを可能にすることができる。他の特定の一形態では、マイクロプロセッサベースのデバイス（６３）は、キーホルダが携帯電話として機能することができるほど十分に、携帯電話の機能すべてを含むことができる。特定の一形態では、このマイクロプロセッサベースのデバイス（６３）は、「ブルートゥース」または近距離無線通信（Ｎｅａｒ  Ｆｉｅｌｄ  Ｃｏｍｍｕｎｉｃａｔｉｏｎ  、ＮＦＣ）などの近距離通信機能も含むことができ、それにより、ヘッドセット、店頭の支払い設備などと通信する。マイクロプロセッサベースのデバイス（６３）は、ＧＰＳ、または類似の場所特定機能をさらに含むことができる。これにより、デバイスは、たとえば緊急位置探査装置の役割を果たすことができるようになる。デバイス（６３）はまた、銀行取引を安全にするために使用されるような符号化能力を提供する機能を果たしてもよい。シェル（１５）はまた、安全な銀行取引または安全なドアエントリなどを容易にするように符号化されたマイクロチップデバイス（６６）を封入してもよい。他の電子デバイスには、レーザポインタ、オーディオスピーカ、および紛失キーロケータが含まれることができる。前述のように、シェル内部に収容されてもよい非電子デバイスが、個人で使用するための化粧品、鏡、ペン、および大部分の他の小型品目をさらに含むことができる。
【００８６】
●限定しない例として、シェル内部に収容されてもよい電子機器および非電子機器の両方の品目が、以下を含んでもよい：
○ｉＰａｄ／ｉＰｈｏｎｅ／ｉＰｏｄのアクセサリ
○ベンダ特有のデバイスで使用されるＣｉｓｃｏコンソールケーブル／ＩＴトラブルシューティングケーブル
○携帯型裁縫道具
○携帯電話／ｉＰａｄ／予備電池区画用汎用プラグイン充電器
○小型カメラ
○汎用リモコン装置
○微小ツール
○多用途ケーブル（巻き上げ式のＵＳＢケーブルなど）
○化粧品
○オーデコロン、ハンドサニタイザ用液体区画
○ポケットナイフ
○小型スタッドファインダ、レーザ測定デバイスといったツール
○鏡
○トーチ、フラッシュライト
○警報送信機
○キーロケータ
○ＭＰ３プレーヤ
○ライタ
○ＵＳＢ記憶装置
○格納式首紐
○格納式スプリングフック
○ベルトクリップ
○ＲＳＡセキュリティトークン
○２つの要因の認証で使用される、ＬＥＤ表示装置を備える乱数発生器
○救命具／膨張可能なデバイス
○ドアにアクセスするためのチップ、読取カードチップ、車を始動するための識別チップ、運動クラブにアクセスするためのＩＤチップなどのマイクロチップＩＤ技術
○薬物、丸薬、ミント用貯蔵場所
○紙幣、紙巻きたばこ、刻みたばこといった小型私物品用貯蔵場所
○小型ツール（ねじ回し）
○ペン／蛍光マーカ／定規
○巻き尺
○水準器
○腕時計／カレンダ付き目覚まし時計
○携帯デバイス信号アンテナ（ブースタ）
○レーザポインタおよびプレゼンテーションリモコン装置
○ブルートゥース対応デバイス用ブルートゥースリモコン装置
○携帯電話台
○携帯電話用高忠実度ブルートゥース・ハンズ・フリー・スピーカーホン
○写真用電子表示装置（ＬＣＤ／ＬＥＤ）
○小型無線送信機／受信機
○ブックライト
○冷蔵庫に貼るための磁石取付具
○栓抜き
○コルク抜き
○サードパーティに接続する取付具能力（たとえば、スイス・アーミー・ナイフ取付具）
○ＳＩＭ能力を有する３Ｇモデム（標準的３Ｇ／４Ｇ／ＬＴＥモデムの代替として）
○洗面用品
○歯ブラシ
○タンポンホルダ
○個人的な遭難警報／パニックデバイス
○追跡装置
○超小型の携帯型スピーカ
○毛玉取り器
○櫛
○音声レコーダ
○コンパス
○交換可能なソフトウェアを備える（すなわち、インタフェースを備える）電子的多機能デバイス。大部分のスマートホンが、機能を実行することができるが、実際には、電話中にこの機能を使用することができない
○ブルートゥーススピーカホン
○歩数計（Ｎｉｋｅ＋ｉＰｏｄアクセサリの考えに類似する）
○格納式拡大鏡
○処方箋が必要なレンズ
○マイクロ・ブルートゥース・タッチ・パッド（マウスまたはトラックパッドの代用として）
【００８７】
●前述のように、被覆プレート（１２）は、保持する被覆プレートが外側に屈曲することができるようになり、したがって、収納された鍵にアクセスすることができるように、ロッキングピンを通過させるための、スロットをつけられた穴を組み入れる曲げやすい材料から成ることができる。
【００８８】
（産業上の適用性）
本発明の実施形態のキーホルダ（１０）は、図６および図７に示すように、いくつかの鍵を便利に収納することができるようにする。上述の、図面に示す好ましい一形態では、ホルダは、それぞれのロッキングピン（１６）および（１８）に通される鍵の２つのスタック（５０）および（５２）を提供する。
【００８９】
ホルダに鍵を追加するには、鍵が追加されるロッキングピンは、把持要素を回して、保持する被覆プレートからロッキングピンの外側部分を引き出すことによりロックを解除される。次いで、解放されたロッキングピンにアクセスするために、基部被覆プレートを振り動かし、または屈曲させて、保持する被覆プレートと整列していない状態とすることができ、鍵がピンに通される。次いで、基部被覆プレート（１２）を振り動かし、または屈曲させて、整列状態に戻し、ロッキングピンが、保持する被覆プレート（１４）に再度固定される。
【００９０】
上記で指摘したように、取り外し可能なカバー部分（１５）により提供される収納スペースは、たとえば、鏡、ＬＥＤトーチ、警報送信機、ＵＳＢデバイス、格納式首紐、および硬貨などの小型私物品を保持するために使用されてもよい。
【００９１】
上記は本発明の一部の実施形態だけを説明しており、本発明の範囲を逸脱することなくこれらの実施形態に対して当業者に明白な修正を行うことができる。
【図１】
2015504494.tif 000003
【図２】
2015504494.tif 000004
【図３】
2015504494.tif 000005
【図４】
2015504494.tif 000006
【図４Ａ】
2015504494.tif 000007
【図５】
2015504494.tif 000008
【図６】
2015504494.tif 000009
【図７】
2015504494.tif 000010
【図８】
2015504494.tif 000011
【図９】
2015504494.tif 000012
【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
少なくとも１つの鍵を保持するための、カスタマイズ可能なキーホルダであって；前記キーホルダは、少なくとも１つのアクセサリ区画を含み；前記少なくとも１つのアクセサリ区画は、複数の交換可能なカバーのうち選択された１つを前記キーホルダの構造要素に取り付けることにより形成され；前記交換可能なカバーは、前記キーホルダを個人化するように適合され；前記交換可能なカバーの各々が、シェルとして形成され、アクセサリ要素または収納された品目用の収納スペースを提供するカスタマイズ可能なキーホルダ。
【請求項２】
前記キーホルダは、前記少なくとも１つの鍵を間に収納する、２つの別個の外側の被覆プレートを備え；１つまたは複数の取り外し可能なロッキングピンが、ロッキング機構を利用して、前記外側の被覆プレート間に前記少なくとも１つの鍵を固定し；前記キーホルダは、前記キーホルダを個人化するように適合された、交換可能な被覆プレートカバーの形で、前記交換可能なカバーの１つまたは２つをさらに含むことにより、カスタマイズ可能であり；前記交換可能な被覆プレートカバーの少なくとも１つが、前記アクセサリ要素または収納された品目用の前記収納スペースを提供する、請求項１に記載のキーホルダ。
【請求項３】
前記構造要素は、前記外側の被覆プレートの１つを備える、請求項２に記載のキーホルダ。
【請求項４】
前記キーホルダは２つの前記アクセサリ区画を含み；選択された前記交換可能なカバーにより形成された前記アクセサリ区画の各々が、前記キーホルダの構造要素に取り付けられる、請求項１に記載のキーホルダ。
【請求項５】
前記交換可能なカバーは、下側が開いた、一般に細長いシェルを備える、請求項１に記載のキーホルダ。
【請求項６】
前記交換可能なカバーは、前記カバーが前記キーホルダの前記構造要素から取り除かれたときに、収納された品目を保持するための閉じるものを下側に具備する、一般に細長いシェルを備える、請求項１に記載のキーホルダ。
【請求項７】
前記交換可能なカバーおよび前記構造要素の外面が、スリップオン式のカバー、接着フィルム、またはステッカのうち任意の１つを備えるカバー要素の形で含むしるしおよびラベル付けを提供する、請求項１に記載のキーホルダ。
【請求項８】
前記交換可能なカバーおよび前記構造要素は、ある範囲の色、材料、仕上げ、および質感で提供される、請求項１に記載のキーホルダ。
【請求項９】
鍵に類似するサイズの小型アクセサリツールが、鍵に類似する手法で、前記キーホルダに収納されてもよい、請求項１に記載のキーホルダ。
【請求項１０】
電子技術およびマイクロチップ技術をさらに含む、請求項１に記載のキーホルダ。
【請求項１１】
前記アクセサリ要素または収納された品目は：
（ａ）ｉＰａｄ／ｉＰｈｏｎｅ／ｉＰｏｄのアクセサリ
（ｂ）ベンダ特有のデバイスで使用されるＣｉｓｃｏコンソールケーブル／ＩＴトラブルシューティングケーブル
（ｃ）携帯型裁縫道具
（ｄ）携帯電話／ｉＰａｄ／予備電池区画用汎用プラグイン充電器
（ｅ）小型カメラ
（ｆ）汎用リモコン装置
（ｇ）微小ツール
（ｈ）多用途ケーブル（巻き上げ式のＵＳＢケーブルなど）
（ｉ）化粧品
（ｊ）オーデコロン、ハンドサニタイザ用液体区画
（ｋ）ポケットナイフ
（ｌ）小型スタッドファインダ、レーザ測定デバイスといったツール
（ｍ）鏡
（ｎ）トーチ、フラッシュライト
（ｏ）警報送信機
（ｐ）キーロケータ
（ｑ）ＭＰ３プレーヤ
（ｒ）ライタ
（ｓ）ＵＳＢ記憶装置
（ｔ）格納式首紐
（ｕ）格納式スプリングフック
（ｖ）ベルトクリップ
（ｗ）ＲＳＡセキュリティトークン
（ｘ）２つの要素の認証で使用される、ＬＥＤ表示装置を備える乱数発生器
（ｙ）救命具／膨張可能なデバイス
（ｚ）ドアにアクセスするためのチップ、読取カードチップ、車を始動するための識別チップ、運動クラブにアクセスするためのＩＤチップなどのマイクロチップＩＤ技術
（ａａ）薬物、丸薬、ミント用貯蔵場所
（ｂｂ）紙幣、紙巻きたばこ、刻みたばこといった小型私物品用貯蔵場所
（ｃｃ）小型ツール（ねじ回し）
（ｄｄ）ペン／蛍光マーカ／定規
（ｅｅ）巻き尺
（ｆｆ）水準器
（ｇｇ）腕時計／カレンダ付き目覚まし時計
（ｈｈ）携帯デバイス信号アンテナ（ブースタ）
（ｉｉ）レーザポインタおよびプレゼンテーションリモコン装置
（ｊｊ）ブルートゥース対応デバイス用ブルートゥースリモコン装置
（ｋｋ）携帯電話台
（ｌｌ）携帯電話用高忠実度ブルートゥース・ハンズ・フリー・スピーカーホン
（ｍｍ）写真用電子表示装置（ＬＣＤ／ＬＥＤ）
（ｎｎ）小型無線送信機／受信機
（ｏｏ）ブックライト
（ｐｐ）冷蔵庫に貼るための磁石取付具
（ｑｑ）栓抜き
（ｒｒ）コルク抜き
（ｓｓ）サードパーティに接続する取付具能力（たとえば、スイス・アーミー・ナイフ取付具）
（ｔｔ）ＳＩＭ能力を備える３Ｇモデム
（ｕｕ）洗面用品
（ｖｖ）歯ブラシ
（ｗｗ）タンポンホルダ
（ｘｘ）個人的な遭難警報／パニックデバイス
（ｙｙ）追跡装置
（ｚｚ）超小型の携帯型スピーカ
（ａａａ）毛玉取り器
（ｂｂｂ）櫛
（ｃｃｃ）音声レコーダ
（ｄｄｄ）コンパス
（ｅｅｅ）交換可能なソフトウェアを備える（すなわち、インタフェースを備える）電子的多機能デバイス
（ｆｆｆ）ブルートゥーススピーカホン
（ｇｇｇ）歩数計
（ｈｈｈ）格納式拡大鏡
（ｉｉｉ）処方箋が必要なレンズ
（ｊｊｊ）マイクロ・ブルートゥース・タッチ・パッド（マウスまたはトラックパッドの代用として）
（ｋｋｋ）被覆プレートカバー内部の、電子技術およびマイクロチップ技術の記憶装置
（ｌｌｌ）医療診断デバイス
を備えてもよい、請求項１に記載のキーホルダ。
【請求項１２】
前記外側の被覆プレートのうち少なくとも１つ、および前記被覆プレートカバーのうち少なくとも１つが、単一ユニットとして一体化して構築され、前記収納スペースを提供する、請求項２に記載のキーホルダ。
【請求項１３】
オンボード計算を行うためのマイクロプロセッサベースのデバイスをさらに含み、それにより、機能を追加する、請求項１に記載のキーホルダ。
【請求項１４】
キーホルダをカスタマイズする方法であって：
（ａ）しるしを彫ることができる少なくとも１つの表面を提供するステップ、
（ｂ）交換可能なカバーを取り付けるように構成された少なくとも１つの構造要素を提供するステップ；
を含み、前記交換可能なカバーの少なくとも１つがシェルとして形成され、アクセサリ要素または収納された品目用の収納スペースを提供する方法。
【請求項１５】
前記少なくとも１つの交換可能な外側の被覆プレートカバーは、しるし、画像、ラベル付け、色、材料、仕上げ、または質感を彫ることができる、請求項１４に記載の方法。
【請求項１６】
前記方法は、前記１対の外側の被覆プレートの少なくとも１つを、前記交換可能な外側の被覆プレートカバーを取り付けるように構成された基礎となるプラットフォームとして提供するステップをさらに含み；前記交換可能な外側の被覆プレートカバーは、複数の交換可能な被覆プレートカバーから選択される、請求項１４に記載の方法。
【請求項１７】
前記交換可能なカバーは、複数の選択可能なカバーを含み；各前記カバーは、前記カバーの内面、および前記キーホルダの被覆プレートとの間に収納スペースを形成する、請求項１４に記載の方法。
【請求項１８】
キーホルダ用のアクセサリ区画であって；請求項１に記載のキーホルダに解放可能に取り付けられるように適合されたアクセサリ区画。
【国際調査報告】
2015504494.tif 000013
2015504494.tif 000014
2015504494.tif 000015
2015504494.tif 000016
2015504494.tif 000017